(57)【要約】      （修正有）【課題】往復動作可能なハンマー杆及び目串をガイドして、目串を芝生及び地中に打ち込むために使用される芝張りに使用する目串の打込みガイドアダプタ、及び該打ち込みガイドアダプタを備えた目串用打込機を実現し、芝張りの際に使用者の労力を軽減する。【解決手段】空気圧を利用しハンマー杆３を往復動可能な打込機２に着脱可能に取り付けられ、筒部２５とこの筒部２５の下端に形成されたフランジ部２６とを備え、筒部２５の上部外面には、ネジ２５’が形成されており、該ネジ２５’により打込機２に着脱可能に装着でき、フランジ部２６は、その下面が使用時に芝生の上面に当接して芝生２８内に食い込まない構成であり、目串１９を打ち込むハンマー杆３及びこの目串１９を案内する。【選択図】図１
0003117361.tif 000002
【実用新案登録請求の範囲】
【請求項１】
目串を打ち込むハンマー杆及び該目串を案内する目串用打込ガイドアダプタであって、
その下端にフランジ部を有し、該フランジ部は、その下面が使用時に芝生の上面に当接して芝生内に食い込まないものであることを特徴とする目串用打込ガイドアダプタ。
【請求項２】
空気圧を利用しハンマー杆を往復動可能な打込機に一体又は別体として設けられ、筒部と、該筒部の下端に形成されたフランジ部とを備えて成り、目串を打ち込む前記ハンマー杆及び該目串を案内する目串用打込ガイドアダプタであって、
前記フランジ部は、その下面が使用時に芝生の上面に当接して芝生内に食い込まないものであることを特徴とする目串用打込ガイドアダプタ。
【請求項３】
空気圧を利用しハンマー杆を往復動可能な打込機に着脱可能に取り付けられ、筒部と該筒部の下端に形成されたフランジ部とを備えて成り、目串を打ち込むハンマー杆及び該目串を案内する目串用打込ガイドアダプタであって、
前記筒部の上部内面又は外面には、ネジが形成されており、該ネジにより前記打込機に着脱可能に装着でき、
前記フランジ部は、その下面が使用時に芝生の上面に当接して芝生内に食い込まない構成であることを特徴とする目串用打込ガイドアダプタ。
【請求項４】
前記フランジは、下面に１又は２以上の厚み調節片を固定できる構成であることを特徴とする請求項１、２又は３に記載の目串用打込ガイドアダプタ。
【請求項５】
空気圧を利用し目串を打ち込むハンマー杆を往復動可能とし、該ハンマー杆及び該目串を案内する目串用打込ガイドアダプタを一体又は別体として設けた目串用打込機であって、
前記目串用打込ガイドアダプタは、筒部と、該筒部の下端に形成されたフランジ部とを備えて成り、
前記フランジ部は、その下面が使用時に芝生の上面に当接して芝生内に食い込まないものであることを特徴とする目串用打込機。
【請求項６】
空気圧を利用し目串を打ち込むハンマー杆を往復動可能とし、該ハンマー杆を及び該目串を案内する目串用打込ガイドアダプタを一体又は別体として設けた目串用打込ガイドアダプタであって、
前記目串用打込ガイドアダプタは、筒部と、該筒部の下端に形成されたフランジ部とを備えて成り、
前記筒部の上部内面又は外面には、ネジが形成されており、該ネジにより前記目串用打込機に着脱可能に装着でき、
前記フランジ部は、その下面が使用時に芝生の上面に当接して芝生内に食い込まないものであることを特徴とする目串用打込機。
【考案の詳細な説明】
【技術分野】
【０００１】
本考案は、芝張りに使用する目串用打込ガイドアダプタ、及び該打込ガイドアダプタを備えた目串用打込機芝に関するものである。
【背景技術】
【０００２】
矩形の切芝（以下、本明細書では単に「芝生」という。）を所望の箇所に芝張りする場合、芝生がずれたり、めくれたりしないように、芝生の２〜数カ所に芝張りに使用する目串（以下、単に「目串」とも言う。）で地面に留めることが通常行われている。特に、法面（傾斜面）に芝生を張る際には、芝生が傾斜地面上をずれたり、滑って落下したり、雨水により流されたりしやすいから目串で留めることは必須である。
【０００３】
目串は、通常、例えば、竹を１５〜２０ｃｍ程度の長さの串状（又はへら状）に加工して形成された竹串を利用する。しかし、芝生を目串で留めるために、目串で芝生を上方から貫通して地中に埋め込む際に、使用者は、特に地質が硬い場合等では、かなりの力を入れなくてはならず、長時間の作業を要し、手が疲れたり、体力を消耗したりする。  
【０００４】
そこで、木槌等のハンマーで目串を上方から打ち込むようなことが行われているが、目串は竹製であるために、ハンマーで打ち込む際に斜めに打ち込んだりすると、折れたり、頭部が破損したりし易く、その折れたり破損したりした目串を取り除く等の後処理のためにかえって労力、時間が必要となってしまう。
【０００５】
ところで、木材の固定のための釘打ちの場合もハンマーでは労力が生じるので、近年は釘打機が公知であり（特許文献１参照）、建築作業現場でも普及している。本考案者は、この釘打機で目串の地中への打ち込みを行うことを着想した。
【特許文献１】特開平５−３０１１７７号公報
【考案の開示】
【考案が解決しようとする課題】
【０００６】
本考案者は、釘打機で目串の打ち込みを行う実験を行ったが、釘と目串では本質的に異なり、そのために次のような問題が生じ、釘打機を単に利用しただけでは、芝生用の目串の打ち込みできないという知見を得た。
【０００７】
（１）釘は鉄製であり強度を有するから釘打機で打ち込んでも、折れや頭部の破損等はしにくいが、目串は竹製で強度は鉄に比べると弱いので、目串の頭部への釘打機のハンマー杆の力が作用すると、折れたり、破損したりし易い。特に、釘打機のハンマーは釘の打ち込みを目的としているから細く、目串の頭部に部分的に当たってしまい、その頭部を破損しやすい。
【０００８】
（２）釘打機は、その打ち込みガイドの先端を木材に当接するので、ガイドの先端が木材内に潜り込むようなことはないが、この釘打機を目串用の打込機に単に利用すると、ガイドの先端が芝生に当接して押圧すると芝生内に食い込んだり、さらに地中に潜り込でしまうという問題が生じる。
【０００９】
（３）釘は木材内に完全に打ち込み、その頭部が木材の打ち込み表面から上方に残らないようにするが、目串は、張った芝生内に頭部まで打ち込んでしまうと、芝生が目串からはずれてしまい地表を滑り出してしまうという問題が生じる。従って、目串の頭部は芝生の表面から若干上方に残っている必要がある。
【００１０】
そこで、本考案は、上記問題（１）〜（３）を解決し、往復動作可能なハンマー杆及び目串をガイドして、目串を芝生及び地中に打ち込むために使用される芝張りに使用する目串の打込みガイドアダプタ、及び該打ち込みガイドアダプタを備えた目串用打込機を実現することであり、これにより、芝張りの際に使用者の労力を軽減できるようにするものである。
【課題を解決するための手段】
【００１１】
本考案は上記課題を解決するために、目串を打ち込むハンマー杆及び該目串を案内する目串用打込ガイドアダプタであって、その下端にフランジ部を有し、該フランジ部は、その下面が使用時に芝生の上面に当接して芝生内に食い込まないものであることを特徴とする目串用打込ガイドアダプタを提供する。
【００１２】
本考案は上記課題を解決するために、空気圧を利用しハンマー杆を往復動可能な打込機に一体又は別体として設けられ、筒部と、該筒部の下端に形成されたフランジ部とを備えて成り、目串を打ち込む前記ハンマー杆及び該目串を案内する目串用打込ガイドアダプタであって、前記フランジ部は、その下面が使用時に芝生の上面に当接して芝生内に食い込まないものであることを特徴とする目串用打込ガイドアダプタを提供する。
【００１３】
本考案は上記課題を解決するために、空気圧を利用しハンマー杆を往復動可能な打込機に着脱可能に取り付けられ、筒部と該筒部の下端に形成されたフランジ部とを備えて成り、目串を打ち込むハンマー杆及び該目串を案内する目串用打込ガイドアダプタであって、前記筒部の上部内面又は外面には、ネジが形成されており、該ネジにより前記打込機に着脱可能に装着でき、前記フランジ部は、その下面が使用時に芝生の上面に当接して芝生内に食い込まない構成であることを特徴とする目串用打込ガイドアダプタを提供する。
【００１４】
本考案は上記課題を解決するために、空気圧を利用し目串を打ち込むハンマー杆を往復動可能とし、該ハンマー杆を及び該目串を案内する目串用打込ガイドアダプタを一体又は別体として設けた目串用打込機であって、前記目串用打込ガイドアダプタは、筒部と、該筒部の下端に形成されたフランジ部とを備えて成り、前記フランジ部は、その下面が使用時に芝生の上面に当接して芝生内に食い込まないものであることを特徴とする目串用打込機を提供する。
【００１５】
本考案は上記課題を解決するために、空気圧を利用し目串を打ち込むハンマー杆を往復動可能とし、該ハンマー杆及び該目串を案内する目串用打込ガイドアダプタを一体又は別体として設けた目串用打込ガイドアダプタであって、前記目串用打込ガイドアダプタは、筒部と、該筒部の下端に形成されたフランジ部とを備えて成り、前記筒部の上部内面又は外面には、ネジが形成されており、該ネジにより前記目串用打込機に着脱可能に装着でき、前記フランジ部は、その下面が使用時に芝生の上面に当接して芝生内に食い込まないものであることを特徴とする目串用打込ガイドアダプタを提供する。
【００１６】
本考案は上記課題を解決するために、前記フランジは、下面に１又は２以上の厚み調節片を固定できる構成としてもよい。
【考案の効果】
【００１７】
上記解決手段を特徴とする本考案によれば、次のような効果を有する。
（１）本考案の目串の打込みガイドアダプタ及び目串用打込機を利用すれば、往復動作可能なハンマー杆を目串に適宜ガイドして、目串を芝生及び地中に打ち込むことができ、芝張りの際に使用者の労力、作業時間を軽減でき、しかも整然と芝張りすることができる。
【００１８】
（２）本考案の目串の打込みガイドアダプタは、その先端に地表面に当接するフランジ部を設けたので、目串の打ち込みの際に先端が芝生に食い込んだり地中に潜り込むようなことが防止できる。
【００１９】
（３）本考案の目串の打込みガイドアダプタのフランジの肉厚を適宜調整することで、打ち込まれた目串の頭部の芝生からの突出具合（残り具合）を調整できるから、現場の諸々の要望や環境に応じて、この突出具合の調整をきめ細かくかつ簡単に行えることができる。
【００２０】
（４）本考案の芝張りに使用する目串用打込機では、目串の太さに応じてハンマー杆をより太くし（直径を大きくし）、これに対応して目串の打込みガイドアダプタの内径に調整できるようにすれば、目串の頭部へのハンマー杆の力が作用しても折れたり、破損したりすることが防止できる。
【考案を実施するための最良の形態】
【００２１】
本考案に係る芝張りに使用する目串用打込ガイドアダプタ、及び該打込ガイドアダプタを備えた目串用打込機を実施するための最良の形態を実施例に基づいて図面を参照して説明する。
【００２２】
本考案に係る目串用打込ガイドアダプタは、空気圧によってハンマー杆が往復動をする自動打込機に設けて、ハンマー杆及び目串を打ち込み方向に直線的に案内する略筒状の案内管である。この目串用打込ガイドアダプタは、空気圧によってハンマー杆が往復動をする自動打込機に着脱自在に設けてもよいし、或いは自動打込機に一体的に備えている構成としてもよい。
【００２３】
そして、本考案に係る目串用打込機は、空気圧によってハンマー杆が往復動をする打込機であり、打込ガイドアダプタを設けて、この打込ガイドアダプタによって、ハンマー杆及び目串を打ち込み方向に直線的に案内して、目串を芝生からさらに地中まで打ち込んで、芝生を目串で留める装置である。以下、実施例で具体的に説明する。
【実施例１】
【００２４】
図１は、本考案の実施例１の構成を説明する図である。この実施例１の目串用打込ガイドアダプタ１及び目串用打込機２では、目串用打込ガイドアダプタ１を、空気圧によってハンマー杆３が往復動をする目串用打込機２に着脱自在に設けた構成である。この実施例１は、目串用打込専用機として量産するものとしても適しているが、既存の各種の打込機（例．釘打機、板金用ハンマー等）に適用する構成としても適している。
【００２５】
目串用打込機２において空気圧（圧搾空気）でハンマー杆３が自動的に往復動する構成は、いろいろな構造が考えられるが、その一例を、図１で説明する。図１は実施例１の目串用打込機２の断面構造を示す図である。この目串用打込機２は、打込機本体４及び上蓋５を備えており、打込機本体４に実施例１の目串用打込ガイドアダプタ１を着脱可能に装着して形成される。上蓋５は、打込機本体４の上面縁部６にネジで固定される。
【００２６】
打込機本体４は、その内側には空洞部７が形成されており、下部には段部８を介してボス部９が形成されている。この段部８には、空洞部７と連通するように複数の通孔１０が周方向に間隔をおいて形成されている。そして、ボス部９の中心部には、空洞部７に開口するネジ孔１１が形成されている。
【００２７】
空洞部７内において、段部８上に緩衝材１２が配置されている。この緩衝材１２は、後述するピストン１３の下面が衝突して緩衝する機能を有する。この緩衝材１２の周囲の段部８上に位置するようにシリンダ１４が配置されている。
【００２８】
このシリンダ１４は、上方が頂壁１５で閉じられており、下方が開口している。シリンダ１４の頂壁１５に空気導入孔１６が周方向に間隔をおいて形成されている。シリンダ１４の側壁の上下方向の中間位置よりやや下部に、シリンダ１４の側壁から打込機本体４の側壁を貫通するように、空気排出孔１６’が周方向に間隔をおいて形成されている。
【００２９】
シリンダ１４内には、ピストン１３が往復動可能（摺動可能）に配設されている。このピストン１３によりシリンダ１４は上室１７と下室１８とに分けられる。ピストン１３には、ハンマー杆３の上端が螺着されている。
【００３０】
ハンマー杆３は、シリンダ１４からボス部９のネジ孔１１を通して下方に伸びるように構成されている。目串用打込機２のハンマー杆３では、従来使用されている釘打機のハンマー杆３等より太さを太くする（直径を大きくする）ことで、目串１９の頭部を破損しないようにしている。
【００３１】
上蓋５は、その頂部下面に下方に向けて突起部２０が形成されている。上蓋５を打込機本体４の上面縁部６にネジで固定すると、突起部２０はピストン１３の上面に当接して上方からシリンダ１４を押さえる状態となる。打込機本体４の上部の周囲にはシリンダ１４を囲うように空気室２１が形成されている。
【００３２】
この空気室２１に連通するように、打込機本体４の上部には空気入口部２２が形成されている。空気入口部２２は、管継手２３を介して空気供給パイプ２４に接続されている。空気供給パイプ２４は、図示しないが、エアコンプレッサ（空気圧搾ポンプ）に接続されている。
【００３３】
芝生に目串１９を打ち込む作業の開始、終了の際には、エアコンプレッサの始動、停止の操作によってもよいが、空気供給パイプ２４に開閉弁を設けて、この開閉弁の操作によってもよい。圧搾空気は、芝生を張る土地の土質（硬さ、粘土、湿度等）や使用者の体力等に応じて適宜、圧搾空気の供給源で調整すればよい（例えば、およそ０．３〜０．７Ｍｐａ程度等）。
【００３４】
図２は、本考案に係る目串用打込ガイドアダプタ１の構成及びその変形例を説明する図である。この図２（ａ）に示すように、目串用打込ガイドアダプタ１は、筒部２５と、該筒部２５の下端のフランジ部２６から一体で形成されている。筒部２５内に、そしてフランジ部２６を貫通してガイド孔２７が形成されている。筒部２５の上端外周には、ネジ２５’が形成されており、これにより、目串用打込ガイドアダプタ１を打込機本体４のボス部９のネジ孔１１に螺着し、着脱可能に装着することができる。
【００３５】
ガイド孔２７は、ハンマー杆３を摺動して案内し、しかもハンマー杆３の下方に位置する目串１９をも案内する機能を有するものである。ガイド孔２７の下端を、図２（ｂ）に示すように、変形例１として下方に向けて拡開したテーパ面２７’を形成しておくと、目串１９をガイド孔２７に簡単に挿入し易くなる。
【００３６】
本考案に係る目串用打込ガイドアダプタ１の最大の特徴をここで説明する。目串用打込ガイドアダプタ１は、フランジ部２６を有するので、使用時に、目串１９を打ち込んでいくと、目串用打込ガイドアダプタ１が芝生に徐々に近づくが、図３（ｆ）に示すように、フランジ部２６が芝生２８に当接した状態で、当接後にさらに芝生２８に目串用打込ガイドアダプタ１の先端が貫入したり、地中内にもぐりこむようなことが防止される。
【００３７】
そこで、本考案の目串用打込ガイドアダプタ１では、フランジ部２６が芝生２８に当接した状態で、目串１９が芝生２８の表面から所望の長さだけ突き出て残り、ハンマー杆３の往復動の最下位の位置となるように、目串用打込ガイドアダプタ１の筒部２５の長さ、フランジ部２６の厚さｔ、又はボス部９への取付位置を設定する。
【００３８】
このよう設定すれば、使用時に、目串１９を打ち込んでいくと、フランジ部２６が芝生２８に当接した状態となると、ハンマー杆３は往復動において最下位の位置となっても、それ以上は目串１９を深く打ち込めず、所定の高さだけ目串１９の頭部を残した状態となる。よって、目串１９の打ち込みを開始してフランジ部２６が芝生２８に当接した状態で、所定の寸法だけ目串１９の頭部を地表上に残した状態で、目串１９の打ち込みを完了することができる。
【００３９】
このような本考案の目串用打込ガイドアダプタ１により生じる効果は、従来の釘打機を目串１９の打ち込みに利用しても、その先端が芝生２８乃至地中に潜り込んでしまうので、得られることはできない。
【００４０】
上述のように、フランジ部２６の厚さｔによって、フランジ部２６の下面、即ち芝生２８の上面に対するハンマー杆３のストロークの最下位の位置が変わるので、目串１９の頭部が地表から上方に残って突出する高さ（長さ）が変わる。図２（ｃ）〜（ｅ）は、フランジ厚さを変える例を説明する図である。
【００４１】
図２（ｄ）は、目串用打込ガイドアダプタの変形例２を示し、フランジ部２６の厚さｔが異なる複数種の目串用打込ガイドアダプタ１を用意した例である。具体的には、図２（ｃ）に示す標準とするフランジ部２６の厚さｔ１を有する目串用打込ガイドアダプタ１に対して、変形例２は、厚さｔ２のフランジ部２６を有する目串用打込ガイドアダプタ１の例である。
【００４２】
このように異なる厚さの目串用打込ガイドアダプタ１を適宜選択して、ボス部９に装着することで、それぞれ、図２（ｆ）、（ｇ）に示すように、目串１９の頭部が地表上に突出する（残る）高さを調整できる。これにより、芝張り現場の諸々の要望や環境状況に応じて突出具合の調整をきめ細かく、且つ簡単に行えることができる。例えば、傾斜面がきつい場合は、滑り止めを確実に行うために、目串が地表上に突出する高さを高くしたり、或いは、コンクリート等の歩道面上に土を敷いてその上に芝を張る場合等は、目串を深く打ち込まないようにする（目串が地表上に突出する高さを高くする）等である。
【００４３】
なお、フランジ部２６の厚さｔを変える別の手段としては、図２（ｅ）に変形例３を示すように、フランジ部２６の下面に、ネジ挿通孔を形成したドーナッツ状の厚み調節片２６’を１枚又は２枚以上、ネジ止め又は磁力等により着脱可能に固定できるような構成としてもよい。図２（ｅ）に示す例では、フランジ部２６の下面に厚み調節片２６’を１枚ネジ止めしてフランジ厚さをｔ３とした例である。
【００４４】
（作用）
以上の構成から成る実施例１の作用を、図３によって、以下に説明する。図３（ａ）は、目串用打込ガイドアダプタ１を目串用打込機２のボス部９に装着したが、未だ、エアコンプレッサから圧搾空気を目串用打込機２に供給していない状態を示している。
【００４５】
図３（ａ）の状態において、エアコンプレッサから圧搾空気を目串用打込機２に供給すると、図３（ｂ）に示すように、圧搾空気が空気室２１から空気導入孔１６を通してシリンダ１４の上室１７に流入し、ピストン１３を下方に移動して緩衝材１２に当接した状態となる。
【００４６】
このようにピストン１３が下降する際に、ピストン１３の下室１８の空気は、緩衝材１２とシリンダ１４の隙間から（ハンマー杆３との隙間からも）、打込機本体４の段部８に形成された複数の通孔１０を通して下方に流出する。この状態で、使用者は、目串１９の基端側を目串用打込ガイドアダプタ１のガイド孔２７に差し込んで案内し、目串１９の先端を、地面２９上に置かれた芝生２８に当接させる。
【００４７】
この状態で、使用者が目串用打込機２の上蓋５を把持し掌により、図３（ｃ）に示すように、下方に軽く押し込むと（矢印Ｆ参照）、ピストン１３及びハンマー杆３は、目串１９（芝生２８上に突き立てられている状態で下方に移動しない。）に当接して拘束されているために下方に移動しないが、打込機２は、ピストン１３及びハンマー杆３以外の部分は下方に移動する。ピストン１３及びハンマー杆３は、シリンダ１４に対して相対的に上方に移動することとなる。
【００４８】
この移動は、シリンダ１４の上室１７内の圧搾空気の空気圧に抗して行われる。しかし、ピストン１３が下方に移動し緩衝材１２に接近しピストン１３の上端が空気排出孔１６’を通過すると、図３（ｂ）のように、空気排出孔１６’から圧搾空気が漏れ始めるので、上室１７の圧力が下がる。よって、使用者は目串用打込機２の上蓋５を把持し掌により、図３（ｃ）に示すように、下方に軽く押し込むみ上記ピストン１３がシリンダ１４に対して相対的に上昇することができる。
【００４９】
しかしならが、圧搾空気の圧力が大きすぎる場合は、使用者はこの圧力に負けて下方に目串用打込機２を押圧することができないので、使用者が下方に軽く押し込んでも目串用打込機２が下方に移動するように、空気圧は前述のとおり適宜調整する必要がある。
【００５０】
ピストン１３がシリンダ１４に対して相対的に上方に移動すると、ピストン１３の上室１７及び空気室２１の圧力が高くなるので、この高圧により、図３（ｄ）に示すように、ピストン１３を下方に押圧する。これにより、ハンマー杆３が目串１９を芝生２８内に上方から押し込むこととなる。
【００５１】
そして、使用者が前述のように目串用打込機２を軽く下方に押し込み続けると、再びピストン１３及びハンマー杆３がシリンダ１４に対して相対的に上昇し、上室１７の圧力がが高まり、再度、ピストン１３及びハンマー杆３を下方に移動して目串１９を芝生２８内に打ち込む。
【００５２】
以下、この繰り返しが続けられ、使用者が目串用打込機２を下方に軽く押し込み続ければ、ピストン１３及びハンマー杆３の上下方向の往復動作が続き、ハンマー杆３により目串１９を打ち込み続け、目串用打込ガイドアダプタ１が芝生２８に当接する状態に到ると、目串１９を、図２（ｆ）に示すように、その頭部を所望の高さだけ地表に残し、且つ最も深い位置まで打ち込んだ状態となる。ここで、使用者が目串用打込機２を下方への押しみを止めれば、目串１９の打ち込みは完了する。
【実施例２】
【００５３】
図４は、本考案の目串用打込ガイドアダプタ及び目串用打込機の実施例２の構成を示す図である。この実施例２は、実施例１と比べると、次に説明する構成以外は、全く同じ構造である。
【００５４】
即ち、実施例２の目串用打込ガイドアダプタ３１及び目串用打込機３０では、目串用打込ガイドアダプタ３１を、空気圧によってハンマー杆３が往復動をする目串用打込機３０のボス部と一体として形成して成るものである。この実施例２は、目串用打込ガイドアダプタ３１を備えた目串用打込機３０の量産に適し構成である。
【実施例３】
【００５５】
図５は、本考案の目串用打込ガイドアダプタ及び目串用打込機の実施例３の構成を示す図である。この実施例３は、実施例１と比べると、次に説明する構成以外は、同じ構造である。即ち、実施例３の目串用打込ガイドアダプタ３２及び目串用打込機３３では、目串用打込機３３本体にはボス部を設けることなく、目串用打込機３３本体の外周面にネジ３４を形成し、これに目串用打込ガイドアダプタ３２を螺着する構成とした。
【実施例４】
【００５６】
図６（ａ）は、本考案の目串用打込ガイドアダプタの実施例４の構成を示す図である。この実施例４の目串用打込ガイドアダプタ３５は、目串用打込機２に装着することない構成である。この実施例４の目串用打込ガイドアダプタ３５は、中間部位に規制片３６が固着され頭部を大径部としたハンマー杆３７を、ガイド孔２７に挿通してガイドできる構成であり、実施例１と同様に下端にはフランジ部２６が形成されている。
【００５７】
この目串用打込ガイドアダプタ３５の使用の際は、木槌等でハンマー杆３７の頭部を下方に打ちつけて、目串１９を芝生２８及び地中３０内に打ち込む。規制片３６が目串用打込ガイドアダプタ３５の筒部上端に当接した状態で、目串１９はその頭部を所定の高さだけ地表に残して打ち込みが完了する。さらに打ち付けてもフランジ２６が芝生２８に当接しているので、目串１９はさらに芝生２８及び地中に入らない。
【００５８】
（変形例）
図６（ｂ）は、本考案の目串用打込ガイドアダプタの実施例４の変形例を示す図である。この変形例は、目串用打込ガイドアダプタ３５’は、棒状をしており、その下端にはフランジ部２６が形成されているとともに、下面にガイド孔２７が形成されている。
【００５９】
目串用打込ガイドアダプタ３５’に筒状のハンマー杆３７’を摺動可能に嵌合する。ハンマー杆３７’には重錘３６’が固定されている。この目串用打込ガイドアダプタ３５’の使用の際は、目串１９をガイド孔２７に入れて、図６（ｂ）の点線で示すような位置までハンマー杆３７’を上方から下降させて、目串用打込ガイドアダプタ３５’に向けて叩きつける。
【００６０】
すると、ハンマー杆３７’及び重錘３６’の重力により、目串用打込ガイドアダプタ３５’の頭部上面を叩きつけ、これにより、目串１９を芝生２８及び地中に打ち込むことができる。フランジ２６の下面が芝生２９上に当接した状態で、目串１９はさらに芝生２８及び地中に入らない。
【実施例５】
【００６１】
図７及び図８は、本考案の目串用打込ガイドアダプタ及び目串用打込機の実施例５の構成、作用を示す図である。この実施例は、実施例１とほぼ同じであるので、共通する構造部分については同じ番号を付し、説明は省略する。しかし、次の構成において異なる。
【００６２】
即ち、実施例１の目串用打込機２では、空気排出孔１６’をシリンダ１４の側壁及び目串用打込機本体の側壁を貫通して形成した。しかし実施例５の目串用打込機３８では、このような空気排出孔１６’の構造は採用せず、その代わりに、図７及び８に示す構成とした。即ち、実施例５では、上蓋５に複数の空気排出孔３９を形成するとともに、上蓋５をシール４０を介して頂壁１５に当接し、互いに隔離された空気室２１と排気室４１を構成する。
【００６３】
そして、シリンダ１４の頂壁１５の中央部にボス部４２を設けこのボス部４２を貫通する中央貫通孔４３を形成する。中央貫通孔４３には、下方からハンマ杆３の上端延長部４４を摺動可能に挿通するとともに、上方からは上蓋５の中央下面に形成したテーパ状の突起４５を空気流出用のすき間４６が生じるように配置している。
【００６４】
この実施例５の作用は、基本的には実施例１と同じであるが、シリンダ１４の上室１７からの空気の流出における作用が次のように異なる。即ち、ピストン１３が下降し始めた過程では、図７に示すように、ハンマ杆３の上端延長部４４が中央貫通孔４３内を摺動下降し閉じられている。
【００６５】
しかしながら、ピストン１３が緩衝材１２の近くまで下降すると、ハンマ杆３の上端延長部４４は中央貫通孔４３から下方に脱するので、中央貫通孔４３が開口し、ここから空気排出孔３９を通して、圧搾空気が流出する。これにより、使用者は容易に、実施例１で説明したように目串用打込機２を下方に押圧し、図８に示すように、ピストンを相対的に上昇させることが可能となる、
【００６６】
以上、本考案に係る目串用打込ガイドアダプタ及び目串用打込機を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００６７】
本考案に係る目串用打込ガイドアダプタ及び目串用打込機は、以上のような構成であるから、特に、公園、住宅造成地、ゴルフ場、山間地等の道路における法面のような、傾斜し、広大な面積の地面への芝生張り作業に最適である。
【図面の簡単な説明】
【００６８】
【図１】本考案の目串用打込ガイドアダプタ及び目串用打込機の実施例１の構成を説明する図である。
【図２】本考案の目串用打込ガイドアダプタの実施例１の構成、変形例及び作用を説明する図である。
【図３】本考案の目串用打込ガイドアダプタ及び目串用打込機の実施例１の作用を説明する図である。
【図４】本考案の目串用打込ガイドアダプタ及び目串用打込機の実施例２の構成を説明する図である。
【図５】本考案の目串用打込ガイドアダプタ及び目串用打込機の実施例３の構成を説明する図である。
【図６】（ａ）及び（ｂ）は、本考案の目串用打込ガイドアダプタ及び目串用打込機の実施例４及びその変形例の構成及び作用を説明する図である。
【図７】本考案の目串用打込ガイドアダプタ及び目串用打込機の実施例５の構成を説明する図である。
【図８】本考案の目串用打込ガイドアダプタ及び目串用打込機の実施例５の作用を説明する図である。
【符号の説明】
【００６９】
１  目串用打込ガイドアダプタ                 
２  目串用打込機                             
３  ハンマー杆                               
４  打込機本体                               
５  上蓋                                     
４  打込機本体                               
６  上面縁部                                 
７  打込機本体内側の空洞部                   
８  打込機本体下部の段部                     
９  打込機本体のボス部                       
１０  打込機本体の段部の通孔                 
１１  ボス部のネジ孔                         
１２  緩衝材                                 
１３  ピストン                               
１４  シリンダ                               
１５  シリンダの頂壁                         
１６  シリンダの空気導入孔                   
１６ ’ シリンダの空気排出孔                   
１７  シリンダの上室                         
１８  シリンダの下室                         
１９  目串                                   
２０  突起部                                 
２１  空気室                                 
２２  空気入口部                             
２３  管継手                                 
２４  空気供給パイプ                         
２５  目串用打込ガイドアダプタの筒部         
２５ ’ 目串用打込ガイドアダプタの筒部外面のネジ                              
２６  目串用打込ガイドアダプタのフランジ部   
２６ ’ 厚さ調節片
２７  ガイド孔                         
２７ ’ ガイド孔のテーパ面                 
２８  芝生                                   
２９  地面                                 
３０  目串用打込機（実施例２）                          
３１  目串用打込用ガイドアダプタ（実施例２）  
３２  目串用打込ガイドアダプタ（実施例３）                
３３  目串用打込機（実施例３）                           
３４  目串用打込機本体の外周面のネジ         
３５  実施例４の目串用打込ガイドアダプタ （実施例４）    
３５’実施例４の目串用打込ガイドアダプタ （実施例４の変形例）    
３６  規制片
３６’  重錘                               
３７、３７’  ハンマー杆                             
３８  目串用打込機（実施例５）                           
３９  上蓋の空気排出孔                     
４０  シール                                 
４１  排気室                                 
４２  シリンダ頂壁のボス部                   
４３  ボス部を貫通する中央貫通孔             
４４  ハンマ杆の上端延長部                   
４５  上蓋の突起                               
４６  空気流出用のすき間                     
【図１】
0003117361.tif 000003
【図２】
0003117361.tif 000004
【図３】
0003117361.tif 000005
【図４】
0003117361.tif 000006
【図５】
0003117361.tif 000007
【図６】
0003117361.tif 000008
【図７】
0003117361.tif 000009
【図８】
0003117361.tif 000010